Podtech/llm-jp-corpus-v4-ja_patent huggingface dataset:
(57)【要約】      （修正有）【課題】安全性が高く、かつ、製造コストが安価な火の用心手袋を提供する。【解決手段】赤色で手のひらと手の甲に火の文字を記入した手袋を、装着することにより火を使用していることを忘れさせなくし、忘れても手を見るので気づくし、製造コスト及び製造の容易さを改良するため、深くて分厚いゴム印を造り油性のインクで押し印する。【選択図】図１
0003133943.tif 000002
【実用新案登録請求の範囲】
【請求項１】
本出願人は火災を予防するために、この時は好ましい火の用心手袋を提案して、実用新案登録第３１２６３５９号を提供しましたが、塩化ビニールで丸の中に火の文字を記入するとしたので、熱い鍋をもち、万が一、塩化ビニールがとけたりすれば手のひらをやけどする恐れがあるので、又、塩化ビニールで文字を記入するため、製造コスト及び製造の容易さに改良すべき点があり、そこでゴム印で、油性のインク赤色で手の甲と手のひらに押し印する安全で、安価な火の用心手袋。
【考案の詳細な説明】
【技術分野】
【０００１】  作業用の手袋を使用するため、左、右の手袋と考えなくてすぐ手に装着することが出来、又、手のひらと手の甲にも火の文字を入れている手袋に関するものである。
【背景技術】
【０００２】  手袋を装着していないため火の文字がみえず気がつくのが遅い。
【考案の開示】
【考案が解決しようとする課題】
【０００３】  火を使用するとき、何もつけてなく他のことにきをとられ、鍋を焦がしたり、気がつくのが遅いし、本出願人は火災を予防するために、好ましい火の用心手袋を提案して（実用新案登録第３１２６３５９号）、この時は良いと思っていたが万が一塩化ビニールが溶けたりすれば、手のひらを焼けどする恐れがあり、又塩化ビニールで文字を記入するため、製造コスト及び製造の容易さに改良する点が残っていて、すなわち、本考案は安全性が高く、かつ、製造コストが安価な火の用心手袋を目的とする。
【課題を解決しようとするための手段】
【０００４】  赤色で手のひらと手の甲に火の文字を記入した手袋を、装着することにより火を使用していることを忘れさせなくし、忘れても手を見るので、気づくし製造コスト及び製造の容易さを改良するため、深くて分厚いゴム印を造り油性のインクで押し印する。
【考案の効果】
【０００５】  本考案の火の用心手袋を使用することにより、火ガスを使用していることを認識させ、きづくのが早く鍋を焦がしたり、火事にならずにすむし、鍋があつくても手のひらに当たっても焼けどしにくく安全である。
【考案を実施するための最良の手段】
【０００６】  作業用手袋にまるを書いた中に火の文字を書いた深くて分厚いゴム印を作り、油性の赤インクで、図面の様に指先のある手袋又一段と作業し易いように指先のない手袋に、手の甲の手袋面と手のひらの手袋面に赤色の火の文字を押し印する塩化ビニールで火の文字をしないため、熱い鍋に触っても溶け出す事がなく安全で、製造コストも大変安く、なによりも安全が第一である。
【図面の簡単な説明】
【０００７】
【図１】指先のある手袋正面図
【図２】指先のない手袋正面図
【符号の説明】
【０００８】３  指先のある手袋、又は作業が一段とし易い指先のない袋に手の甲の手袋面。
４  手のひらの手袋面。
５  油性のインクで赤色で丸を書く。
６  丸の中に赤色で火の文字を記入する。
【図１】
0003133943.tif 000003
【図２】
0003133943.tif 000004
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
歳をとるごとに鍋を、火にかけていることを忘れ焦がしたり、大火にならずほっとすること、しばしば、そこで、ガス火を使用していることを忘れないよう、作業用の手袋、または、作業が一段とし易い指先のない手袋に、油性のインクで手袋の両面、手の甲、手のひらに真赤な色で円を書き、円の中に大きめに火の文字を記入し、火を使うとき手袋を装着するものであり、赤の油性のインクで▲火▼を押し印するだけなので、製造コストも安価であり、また万が一熱い鍋を触っても手袋している部分は安全な火の用心手袋。
(57)【要約】      （修正有）【課題】運転技術に頼ることなく傷を防ぐことができ、修理費用とその時間をかけなくて済む傷ガードを提供する。【解決手段】自動車の四隅及び、前後左右も含めて、傷を防ぐものであって、ゴム、高質プラスティック、セラミック等の一面を粘着面とし、周囲に傾斜をつけた衝撃吸収装置。【選択図】図２
0003133941.tif 000002
【実用新案登録請求の範囲】
【請求項１】
自動車の四隅  および前後左右も含めて傷を防ぐ衝撃吸収装置。
【考案の詳細な説明】
【考案の詳細な説明】
【技術分野】
【０００１】  この考案は  自動車の四隅  および前後左右も含めて傷を防ぐ衝撃吸収装置。素材はゴム、高質プラスティック、セラミック等であって、一面を粘着面とし周囲に傾斜をつけた衝撃吸収装置。
【背景技術】
【０００２】  従来、自動車の傷を防ぐ方法としては、自動車の四隅および前後左右を含めてポールを装着し、あるいはセンサーで、それを目印に他の物体に接触しないよう運転するというような、最終的には運転技術に頼らざるを得ないものであった。
または、すでに傷がついてしまった部分に応急処置として、ペイントで傷を目立たなくするものであった。
これでは、傷を防ぐには不十分であり、最終的には修理せざるをえず、費用と時間が自動車利用者の負担になっていた。
【考案が解決しようとする課題】
【０００３】  本案は、その欠点を防ぐために考案されたもので、運転技術の頼ることなく傷を防ぐことができ、修理費用とその時間をかけなくて済む自動車利用者の念願の傷ガードである。
【課題を解決するための手段】
【０００４】  いまこの解決手段を図面にそって説明すれば、
（イ）  厚さ１０ｍｍ程度のゴムの１面を粘着面とする。
（ロ）  粘着力を高めるために、ゴム等の素材の周囲に傾斜をつける。
以上の形状からなる傷ガードを、自動車の四隅の範囲と型に合わせて粘着面を密着させて取り付ける。
【考案の実施形態】
【０００５】  本案は、以上のような形状であるから、これを使用するときは、自動車の四隅の範囲と型を確認し、その四隅および前後左右に粘着面を密着させて取り付ける。
耐久力の低下したものは、剥がして新しい衝撃吸収ゴム等に交換すればよい。
【０００６】  なお、本考案の実施にあたって次の如きことができる。
（イ）  ゴム等の色は、無色透明から自動車の塗装色に合わせた色、または四隅の素材の色に自由に合わせることができる。
（ロ）  自動車の四隅および前後左右への取り付けはもとより、自動車の前後、左右の必要箇所にも粘着面を密着させて取り付けることができる。なお、装着物の形状は、大きさ、厚さ、広さ等自由自在である。
【考案の効果】
【０００７】  したがって、運転技術に左右されることなく傷を防ぐことができ、自由に交換することができるので、たとえ他の物体に接触したとしても、頻繁に応急処置や修理をする必要がなくなる。
【図面の簡単な説明】
【図１】本案の断面図
【図２】本案の平面図
【符号の説明】
１は粘着面
0003133941.tif 000003
0003133941.tif 000004
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
【手続補正２】
【補正対象書類名】図面
【補正対象項目名】全図
【補正方法】追加
【補正の内容】
【図１】
0003133941.tif 000005
【図２】
0003133941.tif 000006
【手続補正書】
【提出日】平成19年4月11日(2007.4.11)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
自動車の四隅及び、前後左右も含めて傷を防ぐものであって、ゴム・高品質プラスティック・セラミック等の一面を粘着面とし、周囲に傾斜を付けた衝撃吸収装置。
(57)【要約】【課題】ロータ枠に付いたカスを取るそしてロータ枠外へ出す。【解決手段】ロータの先端部より極微前に欠込み３０，３８の後淵になるようにする。下の段のロータ枠４の底に穴を設けて穴の下に溝を設けて溝にスクリューを設けてガス出留め枠３１に導いてガス出留め枠内に回転軸に羽根３２を設けた羽根車を回転させてカスをロータ枠外へ取り出す。【選択図】図１
0003133997.tif 000002
【実用新案登録請求の範囲】
【請求項１】
断面半円形のロータ枠を間を設けて向かい合わせて設け中に凸部と凹部を交互にしたロータを２個接っしさせながら収容し間の１方を吸入口とし他方を排出口とし下部のロータ枠（４）の底部あたりに穴（３５）を設ける事を特徴としたロータ枠内のカス取り。
【請求項２】
穴（３５）の下に溝を設けて中にスクリュー（３３）を設ける事を特徴としたロータ枠内のカス取り。
【請求項３】
ロータ（２０）の先端部に欠込み（３０）、（３８）を設ける事を特徴としたロータ枠内のカス取り。
【考案の詳細な説明】
【技術分野】
【０００１】コンプレッサー及び容積形流体モータのロータ枠内のカス取りに関するものである。
【背景技術】
【０００２】特願平９−３７０５０６の高圧ボイラーの捨て灰口
【考案の開示】
【考案が解決しようとする課題】
【０００３】ロータ枠内のカスをロータ枠外へ出す。
【課題を解決するための手段】
【０００４】下段のロータ枠の底部に穴をあけ穴の下に溝を設けてスクリューを通して１方にカスを寄せてガス出留め３２を設けた枠に落してガス出留を回転してカスを出す。ロータの先端部より極微前に欠込みの後部が位置するようにする。
【考案の効果】
【０００５】ロータ枠内のカスが取れるのでロータがスムーズに回わる。ロータ枠内の高圧の燃焼ガスが出ない。ロータ枠内に付いたカスを取る事が出来る。
【考案を実施するための最良の形態】
【０００６】下の段のロータ枠の底部に丸穴を点在させて穴をあけ穴の下部に半管である溝を設けて溝にスクリューを入れてスクリューの回転軸の１方にあるガス出留め枠外へ出してギヤを設けてその下にもギヤを設けて噛み合わせ下のギヤに直結した回転軸をガス出留め枠に戻して回転軸に羽根を固着し羽根は３枚以上としガス出留め枠に摺接する。
【実施例】
【０００７】下の段のロータ枠の底に菱形の穴をあけても良い。
【産業上の利用分野】
【０００８】火力発電所の燃料を燃やすと熱と膨張した燃焼ガスが出るその燃焼ガスを容積形流体モータに通すときロータ枠内のカスが出来るのでそのカスを取り出す。
【図面の簡単な説明】
【０００９】
【図１】容積形流体モータの全体図
【図２】Ａ−Ａ断面図
【符号の説明】
【００１０】欠込み          ３０，３８
ガス出留め枠    ３１
羽根            ３２
灰出口          ３７
スクリュー      ３３
梁              ３４
穴              ３５
ロータ枠        ４
ギヤ            ３６
【図１】
0003133997.tif 000003
【図２】
0003133997.tif 000004
(57)【要約】 【課題】掘りごたつ内に足をいれて寝ても快適に使用できる掘りごたつを提供するとともに、この掘りごたつ上のスライド式簀の子を提供する。【解決手段】こたつ本体１の上部の框枠２に一対の桟３，３を平行に架設し、この一対の桟３，３上に簀の子５をスライド可能に設けてある。【選択図】    図１
0003133999.tif 000002
【実用新案登録請求の範囲】
【請求項１】
こたつ本体の上部の框枠に一対の桟を平行に架設し、この一対の桟上に簀の子をスライド可能に設けてある掘りごたつ。
【請求項２】
上記簀の子の上面を框枠上面と一致させてある上記請求こうに記載の掘りごたつ。
【請求項３】
上記一対の桟に案内される一対の長尺スライダーを離脱可能に設け、このスライダー上に多数の棒材を間隔をおいて固定して簀の子としてある上記請求項１又は２に記載の掘りごたつ。
【請求項４】
掘りごたつに装備するスライド式簀の子であって、掘りごたつに架設した一対の桟上をスライドする一対のスライダーを設け、このスライダー上に多数の棒材を間隔をおいて固定してある掘りごたつ上のスライド式簀の子。
【考案の詳細な説明】
【技術分野】
【０００１】
本考案は、快適に使用できる掘りごたつ及び掘りごたつ上のスライド式簀の子に関する。
【背景技術】
【０００２】
掘りごたつは、上面を開口したこたつ本体とこのこたつ本体上に置かれる座卓とからなり、通常人はこたつ本体内に足を入れて座って利用する。
【考案の開示】
【考案が解決しようとする課題】
【０００３】
上記の通り、掘りごたつはこたつ本体内に足を入れて座って利用するが、こたつに足を入れて寝て利用するには不便である。例えば、座っている側の対面あるいは左右の框枠上に足を乗せて寝ることになるが、疲れたり、足が痛くなったり、足がこたつ本体内に落ちるのではないかと不安になり、そのままの姿勢で長時間を過ごすことは困難であるという課題がある。
本考案は、上記課題に鑑み、掘りごたつ内に足をいれて寝ても快適に使用できる掘りごたつを提供するとともに、この掘りごたつ上のスライド式簀の子を提供する。
【課題を解決するための手段】
【０００４】
そのために、本考案掘りごたつは、こたつ本体の上部の框枠に一対の桟を平行に架設し、この一対の桟上に簀の子をスライド可能に設けてある。
【０００５】
また、本考案掘りごたつは、上記すのこの上面を框枠上面と一致させてある。
さらに、本考案掘りごたつは、上記一対の桟に案内される一対の長尺スライダーを離脱可能に設け、このスライダー上に多数の棒材を間隔をおいて固定して簀の子としてある。
【０００６】
さらに、本考案スライド式簀の子は、掘りごたつに装備するスライド式簀の子であって、掘りごたつに架設した一対の桟上をスライドする一対のスライダーを設け、このスライダー上に多数の棒材を間隔をおいて固定してあるものである。
【考案の効果】
【０００７】
本考案の掘りごたつは、こたつ本体の上部の框枠に一対の桟を平行に架設し、この一対の桟上に簀の子をスライド可能に設けてあるから、この簀の子をこたつ本体の中央に位置付けておけば、四方の框枠に人が座っても足をこたつ本体内に入れて利用することができ、また、この状態で足を簀の子の上に置いて快適な姿勢で寝ることもできる。さらに、簀の子をスライドさせて座る人の方に寄せれば、腰を簀の子上に置いて快適に寝ることもできる。
上記簀の子の上面を框枠上面と一致させてあるから、人が座る位置と簀の子とを同一面とすることができ、快適に寝ることができる。
上記一対の桟に案内される一対の長尺スライダーを離脱可能に設け、このスライダー上に多数の棒材を間隔をおいて固定して簀の子としてあるから、簀の子をこたつ本体に着脱自在にして使用できる効果がある。
【０００８】
さらに、本考案スライド式簀の子は、掘りごたつに装備するスライド式簀の子であって、掘りごたつに架設した一対の桟上をスライドする一対のスライダーを設け、このスライダー上に多数の棒材を間隔をおいて固定してあるものであるから、既設の掘りごたつに、一対の桟を取り付けるだけで、快適に使用できる掘りごたつにすることができる。
【考案を実施するための最良の形態】
【０００９】
図面に示した好ましい実施例により本考案の詳細を説明する。
図中符号１が掘りごたつ本体で、その上部の周囲に框枠を設けてあり、この框枠の四隅に座卓脚４が起立する。上記框枠２の四辺のうち、相対する二辺の框枠間に一対の桟３，３を平行に架設してある。この桟３，３は図２に示すように框枠２の上面より僅かに下位に位置付けてあり、この位置付けにより後述する簀の子の上面を框枠２の上面と一致させてある。
【００１０】
上記桟３，３上に簀の子５をスライド可能に設けてある。この簀の子５は、桟３，３上に載り案内される一対の長尺のスライダー６，６上に多数の棒材７を間隔をおいて平行に固定して構成してある。スライダー６は、桟３，３上に載りスライドできるものであればよいが、図示した実施例では、スライダー本体の下部に桟３を挟むような形状の棒材を固着して構成してある。
【００１１】
図示した実施例では、簀の子５がこたつ本体１の上部開口の中央部分を占める大きさに形成してあり、この状態でこたつ本体１の四辺の各方向から人がこたつ本体１内に足を入れて座ることができるようにしてある。この簀の子５を桟３，３上をスライドさせて何れかの框枠の一辺に接近させると、人がこの簀の子５上に腰を乗せて寝ることができる。図示した実施例では簀の子５がこたつ本体１の上部開口の中央部分を占める大きさにしてあるが、簀の子５の棒材７の長さを長くして簀の子５の端が框枠２の何れかの一辺に近接するようにしてもよい。
【００１２】
また上記スライダー６，６が桟３，３から離脱できるようにしてあり、簀の子５が不要のときはこの簀の子５をこたつ本体１から分離することもできる。
また、簀の子５は上記桟３，３から離脱可能にしたスライダー６，６上に多数の棒材７を間隔をおいて固定してあるもので、この構成にしてあることにより、既設のこたつ本体１に桟３，３を取り付けて簀の子を装備することができる。
【図面の簡単な説明】
【００１３】
【図１】本考案掘りごたつの要部の斜視図である。
【図２】本考案掘りごたつの断面図である。
【図３】図２上Ａ−Ａ線断面図である。
【符号の説明】
【００１４】
１    こたつ本体
２    框枠
３    桟
４    座卓脚
５    簀の子
６    スライダー
７    棒材
【図１】
0003133999.tif 000003
【図２】
0003133999.tif 000004
【図３】
0003133999.tif 000005
【手続補正書】
【提出日】平成19年5月24日(2007.5.24)
【手続補正１】
【補正対象書類名】実用新案登録請求の範囲
【補正対象項目名】請求項２
【補正方法】変更
【補正の内容】
【請求項２】
上記簀の子の上面を框枠上面と一致させてある上記請求項１に記載の掘りごたつ。
(57)【要約】      （修正有）【課題】取り扱いが簡単で、携帯に便利な排尿器を提供する。【解決手段】ホ−スを太くし空気の抵抗を少なくした。ホ−スと集尿容器をワンタッチ式にし簡単に取り外しが出来るようにした。病人や身体が不自由な人が寝ていても排尿する事が出来、看護人も尿を捨てるのに楽に持ち運びが出来るようにした。最後に排尿弁の先の安全止水栓をしておけば安心である。【選択図】図３
0003134000.tif 000002
【実用新案登録請求の範囲】
【請求項１】
排尿器において
（イ）排尿を受ける入口容器（１）には蛇腹状のホ−ス（２）が接続されており、前記蛇腹状のホース（２）は排尿を溜める集尿容器（４）から突出した管（４ａ）に設けたワンタッチ式接続金具（３）により繋がっており、前記蛇腹状のホースは取り外し可能になっている。
（ロ）集尿容器（４）の接続金具（３）の反対側には排尿弁金具（５）が設けてあり、前記排尿弁金具（５）の内部には排出弁（１５）を設けてあり、前記排出弁（１５）はスプリング（１２）より排出側に押さえて漏れを防ぐようになっている。
（ハ）排出弁（１５）は排尿管（５ａ）に繋がっていて、先端には漏れ防止のための止水栓キャップ（６）を安全のため差し込んである。
以上の（イ）（ロ）（ハ）の構成よりなる排尿器。
【考案の詳細な説明】
【技術分野】
【０００１】本考案は、身体の不自由な人や寝たきり老人や病人などで排尿をするのに困難な時、また車内などでも出来るよう携帯でも安易に排尿できるよう考えた。
【背景技術】
【０００２】従来の製品は、流すホ−ス管が細く排出中に空気圧がともなって流出に困難があり排尿の時は一式総体を上に持ち上げて、元の挿入口から排出しなければならなく不便である。本考はホ−スを蛇腹状にして太くし空気圧の抵抗を無くしスム−ズに集尿容器に溜る様にした。中間の取り外し金具はワンタッチ式に簡単に排尿できるようにした。
【考案の開示】
【特許文献１】
【考案が解決しようとする課題】
【０００３】寝ていて尿の出来る器具と排出便の気軽に処理出来る容器の開発を考え、取り外す部分をワンタッチ式にし、ホ−ス部分と切り外しができる。さらに簡単に集尿容器を運べ排尿の時便利である。
【課題を解決するための手段】
【０００４】排尿容器にすみやかに溜るようゴムホ−スを太くして蛇腹式にしホ−スを自由に曲がるようにして、中間の取りつぎ部分はワンタッチ式にし簡単に差込み出来るようにした。排尿管は手を汚さないように弁方式にし、先端部分に防水防止のための安全性を考え、止水栓を付けた。
【考案の効果】
【０００５】看護人の不在の時など他人を頼らず安易に排尿が出来る。容器は水漏れなどの心配が無く安心して使用できる。
【考案を実施するための最良の形態】
【考案の効果】
【０００６】容器の防水の技術と衛生面、排尿の手軽さと水道水などにより重ね重ね実験を試した。
【実施例】
【０００７】水道水を使い尿取口容器（１）より給水し蛇腹ゴムホ−ス（２）を通り、中間の取り外し金具（３）を通り、集尿容器（４）に水を溜めて排出弁（５）より外部に排出した。
【図面の簡単な説明】
【０００８】
【図１】斜視図
【図２】側面切外し図
【図３】側面図
【図４】側面中間接続断面図
【図５】側面中間ホ−ス切外し図
【図６】排尿弁閉鎖図
【図７】排弁管開放図
【符号の説明】
【０００９】１    排尿取口容器（男女兼用）
２    蛇腹式排尿ホ−ス
３    取り外し器
４    排尿集尿容器
４ａ  集尿容器から突出した管
５    排尿弁
５ａ  排尿管
６    安全止水栓
７    排尿取口容器持ち手
８    中間小玉
９    押玉ゴム
１０  取換管内パッキンゴム
１１  排尿弁心棒
１２  バネ
１３  パッキンゴム
１４  押しナット
１５  止水弁
１６  排尿穴
【図１】
0003134000.tif 000003
【図２】
0003134000.tif 000004
【図３】
0003134000.tif 000005
【図４】
0003134000.tif 000006
【図５】
0003134000.tif 000007
【図６】
0003134000.tif 000008
【図７】
0003134000.tif 000009
(57)【要約】【課題】本考案は、明るく楽しいファッションコーディネートの実現の為、簡単に多様な変化に対応できるアクセサリーを作る。【解決手段】本考案は原毛、布等を主に使用することにより、糸と針で、ボタンを取り付け、パーツを脱着することで、多様に変化するアクセサリーを実現し、素材の軽量で大型で暖か味のある楽しいアクセサリーを作る目的が達成された。【選択図】図１
0003133992.tif 000002
【実用新案登録請求の範囲】
【請求項１】
原毛、生地等を主原料として、アクセサリー本体にボタンを付け、別にデザインされたパ−ツを着脱する事により、多様に変化させる事が可能な互換性のあるアクセサリーである。
【考案の詳細な説明】
【技術分野】
【０００１】  本考案は、ボタンを付ける本体と、多様にデザインされたパーツによって、あらゆるアクセサリーに変化させるものである。
【背景技術】
【０００２】  いままで、ボタンを使用してアクセサリーのデザインを多様に変化させられるような物はなかった。
【考案の開示】
【考案が解決しようとする課題】
【０００３】  多様なデザインに簡単に変化させ、その時の服装を明るく、楽しいトータルコーディネートを完成させる。
【課題を解決するための手段】
【０００４】  アクセサリー（ネックレス、腕輪、指輪、ブローチ、耳輪、ピアス、バレッタ、帽子、その他）本体にボタンを取り付け、飾り用パーツにボタンホールを付けることにより、互換性と多様なデザインを実現した。
【考案の効果】
【０００５】  ボタンを取り付けやすい素材、加工しやすい素材を選ぶことで、多様な互換性のあるアクセサリーを実現できた。【０００６】  原毛、布等を主に使用する事で、今まで全く見られた事のない暖か味のあるアクセサリーが実現できた。【０００７】  原毛、布等を主に使用する為軽量で大きなサイズでインパクトのあるデザインが、実現できた。【０００８】  ボタンの付いてる所には、どこでも取り付ける事ができ、生活全般に明るさ、楽しさを実現できる。
【実施例】
【０００９】  服装のコーディネートのアクセントとして、装着する。
【図面の簡単な説明】
【００１０】
【図１】  原毛で製作したループネックレスにボタンを取り付けた正面図と側面図。
【図２】  ボタン付きループネックレスの例の正面図と側面図。
【図３】  ネックレスの変化型の例。
【図４】  飾りパーツの平面図、側面図、断面図。
【図５】  腕輪にした場合の平面図、側面図、断面図、スケッチ。
【図６】  指輪にした場合の平面図、側面図、断面図。
【図７】  ブローチにした場合の平面図、側面図、断面図。
【図８】  ピアスにした場合の平面図、側面図、断面図。
【図９】  バレッタ（髪飾り）にした場合の平面図、側面図、断面図。
【図１０】  帽子にした場合のスケッチ。
【符号の説明】
【００１１】    １  ボタン
２  フェルト生地
３  原毛ネックレスループ
４  飾りパーツ
５  ボタンホール
６  ブレスレット本体
７  指輪本体
８  ブローチ本体
９  ブローチ金具
１０  イヤリング本体
１１  ピアス金具
１２  バレッタ（髪飾り）本体
１３  バレッタ金具
１４  帽子本体
【図１】
0003133992.tif 000003
【図２】
0003133992.tif 000004
【図３】
0003133992.tif 000005
【図４】
0003133992.tif 000006
【図５】
0003133992.tif 000007
【図６】
0003133992.tif 000008
【図７】
0003133992.tif 000009
【図８】
0003133992.tif 000010
【図９】
0003133992.tif 000011
【図１０】
0003133992.tif 000012
(57)【要約】      （修正有）【課題】マスク内側に上下前歯の間に挟む生地を突出させ、かみ締める仕組みを設けることで歯軋りによる騒音を消す。【解決手段】マスク本体１の中央部を内側へ折りこみ、突出させ２、上下前歯の間に挟む。上下幅３は一般マスクより短くし、呼吸を楽にするため鼻にマスクを被せない。横幅４は一般マスクより長くし、両サイドのゴムを上下別に環状にし、頭上ホルダー型としたゴム５を掛け、歯軋りによるぶれを安定させる。滅菌マスクとする。これらの機能を付加したマスクの使用により、装着に対する違和感を抑え、簡便で積極的な利用を促し歯軋りによる騒音を消す。【選択図】図１
0003133964.tif 000002
【実用新案登録請求の範囲】
【請求項１】
マスク本体の中央部を内側へ折りこみ、突出させた部分を上下前歯の間に挟み、かみ締めることで歯軋りによる騒音を消す。
一般マスクより上下幅を短くし、鼻にはマスクを被せない。横幅は一般マスクより長くしまた、サイドのゴムを上下別に環状にし、頂点で一つにまとめ頭上ホルダー型とすることで装着を安定させる。滅菌マスクとする。これらを特徴とする歯軋り消音マスク。
【考案の詳細な説明】
【技術分野】
【０００１】  本考案は、マスク中央部を内側へ折りこみ、突出させた部分をかみ締めることで、歯と歯を直接触れ合わせず、歯軋りによる騒音を消すためのマスクに関するものである。
【背景技術】
【０００２】  歯軋りは、歯の損壊、歯周病、顎の関節症等の起因となりまた、同室者の睡眠に対し大きな妨げとなる。歯科での療法とともに具体的消音対策として、個人の歯型に合わせ成型したマウスピース等が使用されている。
【考案の開示】
【考案が解決しようとする課題】
【０００３】  マウスピース等の装着による口腔内の異物への違和感には個人差がある。また、歯軋りを自覚することは極めて困難なため対策への意識は低く、個人の歯型に合わせたマウスピース等を成型するという取り組みが消極的であるのが現状である。従って、時間的、経済的にも負担の少ないマスクという日常品に消音機能を付加することで簡便で積極的な利用を促し、前述の問題点を解決しようとするものである。
【課題を解決するための手段】
【０００４】  本考案は、マスク中央部を内側へ折りこみ、突出させた部分を上下前歯の間に挟み、かみ締めることで歯軋りによる騒音を消す。一般のマスクより上下幅を短くし、呼吸を楽にするため鼻にはマスクを被せない。横幅は一般マスクより長くし、サイドのゴムを上下別に環状にし、頂点で一つにまとめ頭上ホルダー型として安定させる。また、衛生面を考慮し、滅菌マスクとする。歯軋りの騒音に対し、これらの機能を付加した簡便な本マスクにより問題点を解決している。
【考案の効果】
【０００５】  マスク内側の突出生地は上下前歯の間に留まるため消音効果はもちろん口腔内の違和感が少ない。鼻にマスクを被せないため呼吸が楽である。また、一般のマスクより横幅を長くし、頭上にゴムを掛けることで歯軋りによるぶれを安定している。これらの機能を付加した簡便なマスクの認識により、歯軋り消音対策への意欲が高まり利用への動機に繋がる。【０００６】  また、マウスピース等の磨耗による再製作やメンテナンスの必要がなく、滅菌マスクにすることで衛生面においても安心して使用を継続できる。
【考案を実施するための最良の形態】
【０００７】  本マスクは頭上ホルダー型で、就寝時に装着する。マスク中央部を内側へ折りこみ、突出させた部分を上下前歯の間に挟む。一般マスクより上下幅を短くし、呼吸を楽にするため、鼻にはマスクを被せない。
【実施例】
【０００８】  以下、添付図面に従って実施例を説明する。１は滅菌したガーゼ等適宜素材によるマスク本体、２はマスク本体１の中央部を内側へ折りこみ、突出させ、上下前歯の間に挟む。上下幅３を一般マスクより短くし鼻には被せず、楽な呼吸を確保する。横幅４は一般マスクより長くし、合わせて頭上ホルダーゴム５を掛けることで歯軋りによるぶれを安定させる。
【図面の簡単な説明】
【０００９】
【図１】本考案の歯軋り消音マスクの実施例を示す内側斜視図である。
【図２】本マスクの内側正面図である。
【符号の説明】
【００１０】  １  マスク本体
２  内側突出部分
３  上下幅
４  横幅
５  頭上ホルダーゴム
【図１】
0003133964.tif 000003
【図２】
0003133964.tif 000004
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
マスク本体の中央部を上下前歯の間に挟みこめるように内側へ折り込んで突出させるとともに、上下幅を短くして鼻にマスクを被せないことを特徴とする滅菌歯軋り消音マスク。
【請求項２】
サイドのゴムを上下別に環状にして頂点で一つにまとめたことを特徴とする請求項１記載の滅菌歯軋り消音マスク。
(57)【要約】【課題】  ポスターを見た瞬間に、その環境下での温度状況が液晶温度計の色別による発色により知得できて、省エネ対策に極めて有効であるようにする。【解決手段】  省エネ対策に関係したスローガンや図柄等の表示２が印刷されているポスター１であって、このポスター１の一部には表面側に柔軟性を有する液晶温度計３が組み込まれている構成である。【選択図】図１
0003133967.tif 000002
【実用新案登録請求の範囲】
【請求項１】
省エネ対策に関係したスローガンや図形等の表示が印刷されているポスターであって、このポスターの一部には表面側に柔軟性を有する液晶温度計が組み込まれていることを特徴とする
【請求項２】
省エネ対策として必要な冷房と暖房の目安となる上限と下限の温度が液晶温度計の対応した呈色部分のポスター上の位置に数字により表示されていることを特徴とする請求項１記載の液晶温度計付きポスター。
【考案の詳細な説明】
【技術分野】
【０００１】  本考案は、地球温暖化を防止する対策の一環として、省エネルギーの啓発キャンペーン等に用いる液晶温度計付きポスターに関する。
【考案の開示】
【考案が解決しようとする課題】
【０００２】  地球温暖化が現実となってきた昨今、その解決策として、二酸化炭素等の温室効果ガスの排出を抑える（例えば６％軽減）ために、冷暖房の省エネルギー（以下、省エネという）が進められて来ており、この緊急課題を啓発キャンペーンする一つの方法としてポスターが利用されている。この省エネに用いられている従来のポスターは省エネ対策に関係したスローガン（標語）や図柄を印刷しただけのものであって、省エネを啓発するインパクトに欠けていた。【０００３】  一方、省エネの啓発キャンペーンで最も重要なことは、多くの人がポスターより離れた場所からでも一瞬にしてその時点の冷房温度が認識でき、室温等をチェックできることである。このように、例えば室内に入ったとき、或いは自分の席の近くから温度認識ができれば、ポスターの図柄と相乗して大きなインパクトが生まれることは必然である。また、この種の啓発キャンペーンを円滑に行なうには、一般に低コストの方法であることは勿論、子供から高齢者に至るまで容易に認識ができるようにすることであって、注意を惹き易くちょっと見ただけでも啓発効果を格段に向上でき、かつ安価に提供できるポスターが要望されていた。【０００４】  本考案はこのような課題を解決したものであって、その目的は、ポスターを見た瞬間に該環境下での温度状況が色別による発色で容易に知得できて、省エネ対策に極めて有効であるように改良した液晶温度計付きポスターを提供することにある。
【課題を解決するための手段】
【０００５】  上記目的を達成するために、本考案の特徴とする液晶温度計付きポスターは、省エネ対策に関係したスローガンや図柄等の表示が印刷されているポスターであって、このポスターの一部には表面側に柔軟性を有する液晶温度計が組み込まれている構成である。この構成において、省エネ対策として必要な冷房と暖房の目安となる上限と下限の温度を液晶温度計の対応した呈色部分のポスター上の位置に数字によって表示するように実施するのが実用上好ましい。【０００６】  しかして、上記液晶温度計は、呈色温度範囲の異なる少なくとも２種類以上の液晶をそれぞれ種類ごとにマイクロカプセル化した液晶カプセルを混合して形成した液晶層を内部に備えている、１４〜３４℃の設定温度帯であって、大きさが（４０×２８６）ｍｍ、（４７×３３０）ｍｍ及び（５７×４３０）ｍｍである本出願人カガク印刷株式会社製の３サイズのものを用いることができる。また、液晶温度計は、ポスターの図柄に対しバランスを損なわない配置にして、縦長または横長いずれの状態でも組み込みができる。
【考案の効果】
【０００７】  本考案は上記の如くであって、省エネ対策として必要な冷房と暖房の目安となる上限と下限の温度を液晶温度計の対応した呈色部分のポスター上の位置に数字により表示しておけば、色別による発色で冷暖房時における温度状況が一見するだけで容易に認識でき、その啓発キャンペーン効果を高め得ることは勿論、省エネを実施する上に有効である。
【考案を実施するための最良の形態】
【０００８】  以下に、本考案の実施の一形態を図面を参照して説明する。総括的に符号１で示すポスターには省エネ対策に関係したスローガンや図柄等の表示２が印刷されており、ポスター１の一部、即ち、ポスター１の表面側の適所（図示の場合は下側の余白部）に柔軟性を有する液晶温度計３が横長にして（組み込む位置によっては縦長でもよい）組み込まれている。液晶温度計３は接着材（市販の両面シール等）を用いてポスター１上に接着して組み込まれるが、この液晶温度計３はポスター製造時に該ポスターと一体化して構成することも可能である。【０００９】  また、液晶温度計３は、剥離できる粘着剤やマグネットを用いて、ポスター１と脱着できるようにすれば、他のポスターに再使用できて経済的であり、更にまた、省エネ対策として必要な冷房と暖房の目安となる上限と下限の温度、例えば、上限では２８℃、下限では２０℃を液晶温度計３の対応した呈色部分のポスター１上の位置に数字として印刷により表示することで認識度を高めることができる。【００１０】  なお、ポスター１に組み込まれる液晶温度計３は厚さが０．２ｍｍであって、（４０×２８６）ｍｍ、（４７×３３０）ｍｍ及び（５７×４３０）ｍｍの３サイズのものが用いられる。これに対し、上記（４０×２８６）ｍｍと（４７×３３０）ｍｍの液晶温度計３が組み込まれるポスター１は例えば長方形の場合には一般的に（５９４×４２０）ｍｍであるＡ２判、（５７×４３０）ｍｍの液晶温度計３が組み込まれるポスター１は例えば（６３６×４６９）ｍｍである菊判のものがそれぞれ用いられるが、それらの形状は台形のものでもよい。
【図面の簡単な説明】
【００１１】
【図１】  本考案の一実施例を示す平面図である。
【図２】  図１に示すものの側面図である。
【符号の説明】
【００１２】  １はポスター、２は表示、３は液晶温度計である。
【図１】
0003133967.tif 000003
【図２】
0003133967.tif 000004
【手続補正書】
【提出日】平成19年4月25日(2007.4.25)
【手続補正１】
【補正対象書類名】実用新案登録請求の範囲
【補正対象項目名】全文
【補正方法】変更
【補正の内容】
【実用新案登録請求の範囲】
【請求項１】
省エネルギ−対策に関係したスロ−ガンや図形等の表示が印刷されているポスタ−であって、このポスタ−の一部には表面側に柔軟性を有する液晶温度計が組み込まれていることを特徴とする液晶温度計付きポスタ−。
【請求項２】
省エネルギ−対策として必要な温度と暖房の目安となる上限と下限の温度が液晶温度計の対応した呈色部分のポスタ−上の位置に数字により表示されていることを特徴とする請求項１記載の液晶温度計付きポスタ−。
(57)【要約】【課題】  目は体の中で最も敏感に反応する器官であり、目に目薬のみならず何かが近づくと、防衛本能で瞬時に瞼を閉じてしまう。  従って、目薬を差すのは、防衛反応が邪魔をして、なかなか上手くいかなかった。  目の周りに差してしまい、いらいらするのが常であった。【解決手段】  鏡を使用した本考案の目薬差し補助具によって、目薬容器の差し口と瞳の位置を鏡に写る目を見ながら確認し、如何なる形状の目薬容器でも、正確に目薬を差すことが可能となった。【選択図】図１
0003133968.tif 000002
【実用新案登録請求の範囲】
【請求項１】
目薬を、目に正確に容易に差すため、鏡を使用した目薬差し補助具。
【請求項２】
如何なる形状の目薬容器でも使用できるように、補助具の容器取り付け部分に面ファスナーを貼付し、目薬容器の底部にも面ファスナーを貼付した請求項１に記載されている補助具。
【請求項３】
瞳の位置と目薬容器の差し口が合っているかどうかを、取り付けた目薬容器と鏡の角度を調節しながら、鏡に写る目を見て確認できるようにした請求項１に記載されている補助具。
【考案の詳細な説明】
【技術分野】
【０００１】  本考案は、目薬を目に正確に簡単に差せるよう、鏡を取り付けた目薬差し補助具に関するものである。
【背景技術】
【０００２】  従来の目薬差し補助具には鏡を使用したものは無く、小型で携帯に便利なものも少なかった。
【考案の開示】
【考案が解決しようとする課題】
【０００３】  目薬をこぼさないように目に差すのは、目という非常に敏感な部分だけに、思うようにいかなかった。何回も目の回りに差したあげく、やっと一滴入るという状況が多かった。いらいらして目薬を差すのが億刧になってしまうという現実があった。
【課題を解決するための手段】
【０００４】  そこで、本考案は、目薬を差す度のいらいらを無くし、簡単に目薬が差せるように考案したものである。
目薬容器取り付けてある部分と鏡の部分が、自由に屈折出来るようにし、目薬容器の大きさに応じて、鏡に写る目を見ながら、瞳と目薬容器の差し口が合うように調節出来るようにした。
目薬容器を取り付ける部分に、面ファスナー（フック状）を貼付し、目薬容器の底面にも面ファスナー（ループ状）を貼付することにより、如何なる形状の目薬容器でもワンタッチで固定出来るようにした。しかも取り外しは簡単である。
【考案の効果】
【０００５】  鏡に写る目を見ながら、目薬容器の差し口が瞳に合っているかどうか、顔が傾いていないかどうかを確認しながら、容易に目薬を目に差すことが出来る。
【考案を実施するための最良の形態】
【０００６】  本考案は、図４で示すとおり、鏡と目薬容器の角度を変えながら、瞳と目薬容器の差し口が合うように、鏡に写る目を見ながら調節し正確に目薬を差すことが出来る。
各図で示すとおり、如何なる形状の目薬容器でもワンタッチで固定できる。
補助具は小型で軽量、容器の取り外しも簡単なので携帯にも便利である。
【図面の簡単な説明】
【０００７】
【図１】  本考案の斜視図である。
【図２】  本考案の側面図である。
【図３】  本考案の正面図である。
【図４】  本考案の使用中の側面図である。
【符号の説明】
【０００８】          １    目薬容器
２    目薬容器の差し口
３    鏡
４    容器取り付け部分
５    屈折部分
６    人間の目
【図１】
0003133968.tif 000003
【図２】
0003133968.tif 000004
【図３】
0003133968.tif 000005
【図４】
0003133968.tif 000006
【手続補正書】
【提出日】平成19年5月8日(2007.5.8)
【手続補正１】
【補正対象書類名】実用新案登録請求の範囲
【補正対象項目名】全文
【補正方法】変更
【補正の内容】
【実用新案登録請求の範囲】
【請求項１】
目薬を、目に正確に、容易に差すため、中央部が自由に屈折するＬ字型の器具の一方に鏡を取り付け、片方に如何なる型の目薬容器でも取り付けられるように面ファスナーを取りつけた、目薬差し補助具。
【請求項２】
鏡に写る自分の目を見ながら、目薬容器と鏡の角度を調節し、瞳の位置と目薬容器の差し口をきちっと合わせることが出きるようにした、請求項１に記載した目薬差し補助具。
(57)【要約】      （修正有）【課題】経済面、工事による一時退去等、面倒なことのない安易にできる耐震補強筋交いを提供する。【解決手段】丸鋼１の両端に丸カン１Ａを設ける。木造柱に穴を開け固定プレート２Ａを通しボルトで柱に平行に固定する。固定プレートから通しボルトを突き出し、丸鋼の丸カンを固定する。筋交い丸鋼と固定プレートとの一体化による既存木造耐震補強筋交い金物。錆止め塗装ＯＰ仕上げまたは亜鉛メッキ仕上げを施す。【選択図】図１
0003133961.tif 000002
【実用新案登録請求の範囲】
【請求項１】
丸鋼（図１）の（１）の両端に丸カン（１Ａ）を設ける。木造柱に穴を開け固定プレート（２Ａ）を通しボルト（３Ａ）で柱に平行に固定する。固定プレート（２Ａ）から通しボルト（３Ａ）を突き出し、丸鋼（１）の丸カン（１Ａ）を固定する。筋交い丸鋼（１）と固定プレート（２Ａ）との一体化による既存木造耐震補強筋交い金物。錆止め塗装ＯＰ仕上げまたは亜鉛メッキ仕上げ。
【考案の詳細な説明】
【技術分野】
【０００１】本発明は、木造耐震用補強鋼材に関するもの。すなわち、木造建築物の耐震計画に関するものである。
【背景技術】
【０００２】従来は、既存木造建築物の外壁を広範囲に撤去し、耐震補強をする事で大掛かりな工事と、工期もかかる。
【考案の開示】
【考案が解決しようとする課題】
【０００３】（イ）建築基準法改正前建てられた木造住宅は地震に弱い。
（ロ）耐震補強が大掛かりになり、工期、費用も掛かる。
【課題を解決するための手段】
【０００４】丸鋼（図１）の（１）の両端に丸カン（１Ａ）を設ける。
木造柱に穴を開け固定プレート（２Ａ）を通しボルト（３Ａ）で柱に平行に固定する。固定プレート（２Ａ）から通しボルト（３Ａ）を突き出し、丸鋼（１）の丸カン（１Ａ）を固定する。筋交い丸鋼（１）と固定プレート（２Ａ）との一体化による既存木造耐震補強筋交い金物。錆止め塗装ＯＰ仕上げまたは亜鉛メッキ仕上げ。この金物を設置するには、既存の建物の土台、柱、胴差し、桁、梁の位置の確認をして、筋交いの位置を決めボルト穴を当たり、穴の部分の外壁を固定プレート（２Ａ）分撤去し、柱本体を出す。内部の固定プレート（２Ａ）４箇所を固定ビス（５Ａ）で固定し、通しボルト（３Ａ）用穴を開け内外部固定プレート（２Ａ）と通しボルト（３Ａ）で柱を挟みしっかり固定する。筋交い金物設置後、ターンバックル（４Ａ）にて丸鋼ブレースを十分引張り緊結確認を行う。外壁は木材にて補修し、補強筋交い取付は完了する。
【考案の効果】
【０００５】請求項１は既存建物の取り壊し部分が少ないので、補修も簡単に出来る上に、ローコストで耐震補強が出来て、地震に対する安心感が増す。
【考案を実施するための最良の形態】
【実施例】
【０００６】丸鋼（図１）の（１）の両端に丸カン（１Ａ）を設ける。
木造柱に穴を開け固定プレート（２Ａ）を通しボルト（３Ａ）で柱に平行に固定する。固定プレート（２Ａ）から通しボルト（３Ａ）を突き出し、丸鋼（１）の丸カン（１Ａ）を固定する。筋交い丸鋼（１）と固定プレート（２Ａ）との一体化による既存木造耐震補強筋交い金物。錆止め塗装ＯＰ仕上げまたは亜鉛メッキ仕上げ。
（ロ）この筋交い金物を設置するには、既存の建物の壁量や、筋交いの有無、柱、土台、梁の接合補強金物の有無をもチェックし、筋交い計算をして、十分な筋交い量とバランスの良い配置を決める。土台、柱、胴差し、桁、梁の位置の確認をして、筋交いの位置を決めボルト穴を当たり、穴の部分の外壁を固定プレート（２Ａ）分撤去し、柱本体を出す。内部の固定プレート（２Ａ）４箇所を固定ビス（５Ａ）で固定し、通しボルト（３Ａ）用穴を開け内外部固定プレート（２Ａ）と通しボルト（３Ａ）で柱を挟みしっかり固定する。筋交い金物設置後、ターンバックル（４Ａ）にて丸鋼ブレースを十分引張り緊結確認を行う。外壁は木材にて補修し、補強筋交い取付は完了する。
【産業上の利用可能性】
【図面の簡単な説明】
【０００７】
【図１】本発明に係る木造耐震用丸鋼型筋交い金物について、発明の実施の説明に供し、その取付け状態を示す正面図である。
【図２】本発明に係る木造耐震用丸鋼型筋交い金物について、発明の実施の説明に供する正面詳細図である。
【図３】本発明に係る木造耐震用丸鋼型筋交い金物について、発明の実施の説明に供する断面図である。
【符号の説明】
【０００８】（１）丸鋼
（１Ａ）丸カン
（２Ａ）固定プレート
（３Ａ）通しボルト
（３Ｂ）ナット
（４Ａ）ターンバックル
（５Ａ）固定ビス
（６）柱
（７）土台
（８）梁
【図１】
0003133961.tif 000003
【図２】
0003133961.tif 000004
【図３】
0003133961.tif 000005
【手続補正書】
【提出日】平成19年4月11日(2007.4.11)
【手続補正１】
【補正対象書類名】実用新案登録請求の範囲
【補正対象項目名】全文
【補正方法】変更
【補正の内容】
【実用新案登録請求の範囲】
【請求項１】
図１において、
（１）丸鋼（１）の両端に丸カン（１Ａ）を設ける、
（２）木造柱に穴を開け固定プレート（２Ａ）を通しボルト（３Ａ）で柱に平行に固定する、
（３）固定プレート（２Ａ）から通しボルト（３Ａ）を突き出し、丸鋼（１）の丸カン（１Ａ）の穴に通し固定させ、筋交い丸鋼（１）と固定プレート（２Ａ）とを一体化させる、
（４）仕上げは錆止め塗装または亜鉛メッキとする、
以上の構成からなる既存木造耐震補強筋交い金物。
(57)【要約】      （修正有）【課題】使用者の一方の肩から他方の腰に斜めにかけて使用される襷において、人目を引く形状を有する襷の提供。【解決手段】本考案に係る襷１は、細長い素材の両端を固定させて環状とした本体２と、本体のほぼ長手方向中央部に設けられた、本体から立ち上がった楯４とを有する。楯は、本体の一部分を２重折りにして、２重折りした部分の裏面を接着させて作製できる。【選択図】図１
0003133901.tif 000002
【実用新案登録請求の範囲】
【請求項１】
使用者の一方の肩から他方の腰に斜めにかけて使用される襷において、前記襷が、細長い素材の両端を固定させて環状とした本体と、本体のほぼ長手方向中央部に設けられた、本体から立ち上がった楯とを有することを特徴とする襷。
【請求項２】
前記楯が、前記本体の一部分を２重折りにして、２重折りした部分の裏面を接着させたものであることを特徴とする請求項１に記載された襷。
【請求項３】
前記２重折りした部分の内側に芯材を有することを特徴とする請求項２に記載された襷。
【請求項４】
前記楯が矩形であり、使用時に楯の上辺が概ね水平になるように前記楯の上辺が下辺に対して傾斜していることを特徴とする請求項２または請求項３に記載された襷。
【請求項５】
前記本体が、不織紙でできている請求項１から請求項４までのいずれか１項に記載された襷。
【請求項６】
前記本体の裏面に衣類への固定手段を有することを特徴とする請求項１から請求項５までのいずれか１項に記載された襷。
【考案の詳細な説明】
【技術分野】
【０００１】
本考案は、使用者の一方の肩から他方の腰のあたりに斜めにかけて使用される襷に関するものである。
【背景技術】
【０００２】
襷は、一方の肩から他方の腰のあたりに斜めにかける、輪にした細長いひもや布である。このような襷は、細長い布等の両端を縫い合わせるか、または両端部に穴をあけてリング状金具等により固定することにより作製される。
【０００３】
襷には、選挙の候補者が名前を入れ、またはキャンペーンで地域名やマークを設けられる。このような、文字や図柄は、見る者にその文字によって表される氏名、地域、またはその図柄を記憶させるようにしたものであり、見る者に印象に残るように目立つように工夫されている。しかし、襷自体の形状が人目を引くように工夫されたものはない。
【考案の開示】
【考案が解決しようとする課題】
【０００４】
例えば選挙の場合には、多くの候補者が同じように襷を掛けており、少しでも他の候補者に比較して目立って自己の名前等をアピールすることが必要である。キャンペーンにおいても同様である。本考案の目的は、このような人目を引き、目立つ形状の襷の提供である。
【課題を解決するための手段】
【０００５】
本考案に係る襷は、使用者の一方の肩から他方の腰に斜めにかけて使用される襷において、襷が、細長い素材の両端を固定させて環状とした本体と、使用時に使用者の肩に当たる本体のほぼ長手方向中央部に設けられた、本体から立ち上がった楯とを有することを特徴とする。襟本体には、文字または図柄が表示されるが、楯にも、文字または図柄を表示できる。
【０００６】
本考案の一具体例としては、楯が、本体の一部分を２重折りにして、２重折りした部分の裏面を接着させたものにできる。接着は、両面テープ、接着剤、縫い合わせ等により行うことができる。この２重折りした部分の内側に芯材を有することもできる。こうすると、楯の強度が増大され、折れ曲がりや倒れを防止できる。芯材は、楯とほぼ同形状の厚紙、プラスチック板などを使用できる。
【０００７】
本考案の襷の一具体例によれば、楯の平面図の形状が矩形であり、上辺（使用時に上側になる辺）と下辺（上辺の向かい合う辺）を有し、使用時に楯の上辺が概ね水平になるように前記楯の上辺が下辺に対して傾斜している。この傾き角度は、使用者の肩の傾きに合わせて調整されるが、概ね１０°〜３０°である。
【０００８】
前記本体は、不織紙、布、またはビニールでできていることが好ましく、とりわけ、不織紙が好ましい。
【０００９】
上記のように楯を設けると、使用者の一方の肩から他方の腰に斜めにかけて使用する際に、襷の上部が重くなり、楯が回転しやすくなる。そのため、本体の裏面に衣類への固定手段を設けることが好ましい。固定手段としては、例えば接着強度の弱い両面テープ、クリップ等である。使用者の衣類に固定手段により襷を付着させ、襷が回転したり、ずれたりしないようにできる。
【実施例】
【００１０】
以下では、概略図面を参照して、本考案をより詳細に説明する。
【００１１】
図１に、本考案に係る襷の一例を示す。本体２は、不織紙の細長い布の両端部に穴６を開け、穴６を紐８で結ぶことにより環状になるように固定したものである。本体は、襷１は、布の長手方向中央部が肩に当たるように、使用者の一方の肩から他方の腰に斜めにかけて使用される。そのため、布の中央部から端部に向かって、文字や記号が例えば印刷または織り込みにより付される。
【００１２】
襷１は、本体の長手方向のほぼ中央部に楯４を有する。この位置は使用時に使用者の肩に当たる部分である。したがって、楯４は、使用されたときに、使用者の肩からほぼ鉛直に立ち上がる。楯には、文字や記号を付することができる。
【００１３】
図２に、楯の概略図を示す。楯４は、本体の中央部分の数ｃｍ〜数１０ｃｍの長さ部分を２重折りにして、その裏面に両面テープ（シートの両面に接着剤の塗布された接着用テープ）で固定させる。こうすると楯は、概ね矩形形状となる。この上辺１２が使用時に概ね水平となるように、楯の上辺１２が下辺１４に対して傾斜させることができる。この傾き角度は、使用者の肩の傾きに合わせて調整されるが、概ね１０〜３０度である。楯の強度が弱く、倒れたり折れたりする場合には、芯材１０を挟むこともできる。
【００１４】
本体の裏面に両面テープを付けることが好ましい。使用者の衣類に両面テープにより襷を付着させ、襷が回転したり、ずれたりしないようにできる。取り外しやすいように、弱い両面テープを用いることが好ましい。
【００１５】
このような、襷を使用すると、楯を有する独自の形状により人目を引き付け、例えば、選挙の場合に、他の候補者よりも目立つことができる。
【００１６】
以上述べたように、本考案による襷の構成を一例として説明したが、この構成に限定されるものではなく、請求の範囲から離脱することなく種々の変更が可能であることは言うまでもない。
【図面の簡単な説明】
【００１７】
【図１】本考案に係る襷の概略図
【図２】図１の襷の楯近傍の拡大図
【符号の説明】
【００１８】
１  襷
２  本体
４  楯
６  穴
８  紐
１０  芯材
１２  上辺
１４  下辺
【図１】
0003133901.tif 000003
【図２】
0003133901.tif 000004